(57)【要約】【課題】  本発明の目的は、食器収納ラックやこれに収納された食器と洗浄漕の開口部を開閉する蓋体との干渉を確実に防止することのできる食器洗浄機を提供すること。【解決手段】  本発明の食器洗浄機１は、上方に開口する洗浄漕７と、洗浄漕７の開口部を開閉する蓋体４と、洗浄漕７の上方又は内部に収納される食器収納ラックとを備えており、蓋体４を開状態に保持する保持部材１０と、ラックが洗浄漕７の上方又は内部の正規位置に配置されたときに保持部材１０による蓋体の保持を解除する解除部材１０とをさらに備えていることを特徴としている。【選択図】      図３
2005034450.tif 000002
【特許請求の範囲】
【請求項１】
上方に開口する洗浄漕と、前記洗浄漕の開口部を開閉する蓋体と、前記洗浄漕の上方又は内部に収納される食器収納ラックとを備えた食器洗浄機において、
前記蓋体を開状態に保持する保持部材と、前記ラックが前記洗浄漕の上方又は内部の正規位置に配置されたときに前記保持部材による前記蓋体の保持を解除する解除部材とをさらに備えていることを特徴とする食器洗浄機。
【請求項２】
前記洗浄漕の前記開口部後方を覆うハウジングをさらに備えており、
前記蓋体が、前記洗浄漕の前記開口部前方を開閉し、かつ、該開口部前方の開放動作時に回動して前記ハウジング内に収納されるものであり、
前記保持部材が、前記蓋体が前記ハウジング内に完全に収納されたときに前記蓋体を係止するフックであることを特徴とする請求項１に記載の食器洗浄機。
【請求項３】
前記ラックが、前記開放部前方から前記洗浄漕上方又は内部にスライドして収納されるものであり、
前記解除部材が、前記正規位置に収納されたときに前記ラックによって前記フックを回動させて前記保持部材による前記蓋体の係止を解除するものであることを特徴とする請求項２に記載の食器洗浄機。
【発明の詳細な説明】
【技術分野】
【０００１】
本発明は、上方に開口する洗浄漕と、この洗浄漕の開口部を開閉する蓋体と、洗浄漕の上方又は内部に収納される食器収納ラックとを備えた食器洗浄機に関する。
【背景技術】
【０００２】
食器洗浄機には、洗浄中に洗浄液が周囲に飛散しないように蓋体が備えられている。食器を洗浄するには、ラックに食器を収納させた後に、このラックごと食器洗浄機内にセットし、蓋体を閉めて洗浄を開始するのが一般的である。このような洗浄機としては、例えば、［特許文献１］や［特許文献２］などに記載のものなどが知られている。［特許文献１］や［特許文献２］に記載のものは、洗浄中に蓋体が開放されて洗浄液が飛散することを防止するもので、洗浄中に蓋体の閉状態を維持させることを意図した発明である。
【特許文献１】特開平４−３７１１２７号公報
【特許文献２】特開平８−２５２５４５号公報
【発明の開示】
【発明が解決しようとする課題】
【０００３】
図６に従来の食器洗浄機の一例を示す。上述した場合とは逆に、図６に示されるように、蓋体１０１を閉める際に、ラック１０２が洗浄機１００内の正規位置に正常に収納されていないのに、蓋体１０１を閉めてしまう（閉まってしまう）場合があった。図６中点線で示したものが、正規位置に収納されていないラック１０２とこのラック１０２に収納された食器１０３である。食器１０３は皿であり、１枚のみ図示してある。
【０００４】
このように、ラック１０２が正規位置まで正常に収納されていないと、蓋体１０１を閉じたときに、蓋体１０１とラック１０２や食器１０３とが干渉し、食器１０３の破損を招くおそれがあった。また、蓋体１０１には、内部の状況を確認するための窓１０４が設けられているが、ラック１０２が正規位置まで正常に収納されていないと、蓋体１０１を閉じたときに、この窓１０４周囲のパッキン１０５が食器１０３などと干渉し、パッキン１０５の破損を招くおそれもあった。
【０００５】
従って、本発明の目的は、食器収納ラックやこれに収納された食器と洗浄漕の開口部を開閉する蓋体との干渉を確実に防止することのできる食器洗浄機を提供することにある。
【課題を解決するための手段】
【０００６】
請求項１に記載の食器洗浄機は、上方に開口する洗浄漕と、洗浄漕の開口部を開閉する蓋体と、洗浄漕の上方又は内部に収納される食器収納ラックとを備えており、蓋体を開状態に保持する保持部材と、ラックが洗浄漕の上方又は内部の正規位置に配置されたときに保持部材による蓋体の保持を解除する解除部材とをさらに備えていることを特徴としている。
【０００７】
請求項２に記載の発明は、請求項１に記載の食器洗浄機において、洗浄漕の開口部後方を覆うハウジングをさらに備えており、蓋体が、洗浄漕の開口部前方を開閉し、かつ、該開口部前方の開放動作時に回動してハウジング内に収納されるものであり、保持部材が、蓋体がハウジング内に完全に収納されたときに蓋体を係止するフックであることを特徴としている。
【０００８】
請求項３に記載の発明は、請求項２に記載の食器洗浄機において、ラックが、開放部前方から洗浄漕上方又は内部にスライドして収納されるものであり、解除部材が、正規位置に収納されたときにラックによってフックを回動させて保持部材による蓋体の係止を解除するものであることを特徴としている。
【発明の効果】
【０００９】
請求項１に記載の食器洗浄機によれば、蓋体を保持状態に保持する保持部材と、ラックが洗浄漕の上方（又は内部）の正規位置に配置されたときに保持部材による蓋体の保持を解除する解除部材とを備えているので、ラックが正規位置にない場合は蓋体が保持され、ラックが正規位置にある場合には蓋体を閉めることができる。このため、蓋体を閉めるときに蓋体と食器などとの干渉を防止し、食器などの破損を確実に防止することができる。
【００１０】
請求項２に記載の食器洗浄機によれば、蓋体が回動してハウジング内に収納される際に、フック（保持部材）によって蓋体を保持する。このように、蓋体がハウジングに収納される動作を利用してフック（保持部材）で蓋体を保持するので、簡便な構造で確実に蓋体を保持することができる。そして、この蓋体の保持動作は、蓋体を開くという動作と連動しているため、蓋体を保持させるために特別な動作を必要とすることがない。
【００１１】
請求項３に記載の食器洗浄機によれば、ラックが正規位置に収納されたときにフックがラックによって回動され手フックによる蓋体の保持状態が解除されるので、簡便な構造で確実に蓋体の保持状態を解除することができる。そして、この蓋体の保持を解除する動作は、蓋体を閉める以前に行うラックの正規位置への収納という動作と連動しているため、蓋体の保持を解除するために特別な動作を必要とすることがない。
【発明を実施するための最良の形態】
【００１２】
本発明の食器洗浄機の一実施形態について以下に説明する。本実施形態の食器洗浄機の外観を図１（正面図）及び図２（右側面図）に示す。
【００１３】
図１及び図２に示されるように、食器洗浄機１は、ステンレス鋼板等により形成されるパネルによって覆われる本体２と、この本体２の上部後方に取り付けられたハウジング３と、本体２の上部前方（即ち、ハウジング３の前面開口部）を開閉する回動可能なフード状の開閉扉（蓋体）４とを主要構成部として構成されている。また、開閉扉４の前面には、内部の様子を見るための窓５と、開閉時につかむハンドル６が取り付けられている。
【００１４】
本体２の内部下方には、洗浄液やすすぎ液のタンク及びポンプなどが収納されており、内部上方には洗浄漕７が配置されている。また、図示されないが、洗浄漕７の内部には、食器に対して下方から洗浄液やすすぎ液を噴射する回転式のノズルが配設されている。上述した開閉扉４は、この洗浄漕７の上方に向けて開口された開口部の前方を開閉するもので、洗浄漕７の開口部後方は上述したハウジング３で覆われている。また、図示されないが、洗浄漕７の上方で開閉扉４の下方には、食器に対して上方から洗浄液やすすぎ液を噴射する回転式のノズルが配設されている（図６の従来例参照）。
【００１５】
図３に、開閉扉４を開いた状態の洗浄機１の上方部分を示す。なお、図３においても上述したノズルは図示が省略されている。図３に示されるように、開閉扉４は、両側部の回動中心Ｏを中心に回動可能である。開閉扉４を開くと、開閉扉４はハウジング３の内部に収納される。開閉扉４と本体２（又はハウジング３）にかけて図示されないスプリングが取り付けられており、このスプリングによって開閉扉４の開閉動作が補助される。また、このスプリングは、開閉扉４の開状態又は閉状態を保持する保持力も発生させる。
【００１６】
また、洗浄漕７の上端両側には、食器を収納する食器収納ラック９（図４及び図５参照）を下方より指示する一対のラックレール８が配置されている。そして、一対のラックレール８の奥側端部近傍には、それぞれ、フック１０（保持部材、兼、解除部材）が配設されている。上述したフック１０が配設された部分の拡大断面図を図４及び図５に示す。図４は、ラック９がラックレール８上の正規位置（完全に収納された位置）にない状態を示しており、図５は、ラック９がラックレール８上の正規位置にある状態を示している。
【００１７】
追って詳しく説明するが、ラック９がラックレール８上の正規位置になく、かつ、開閉扉４が全開である場合、開閉扉４はフック１０によって係止される。一方、ラック９がラックレール８上の正規位置にある場合は、開閉扉４のフック１０による係止状態は解除されている。以下、このフック１０の構造及びその動作について詳しく説明する。なお、一対のフック１０のうちの一方のみを図示して説明するが、他方のフック１０も同時に同様の機能を果たす。
【００１８】
フック１０自体は、図４に示されるように、側面から見るとほぼＺ字状の形態をしている。そして、フック１０は、そのほぼ中央に、一方の側面から他方の側面に貫通するように回動軸１０ａを有している。この回動軸１０ａは、ハウジング３の内部に取り付けられた背面板１１の一対の軸保持部１１ａによって保持されている。一対の軸保持部１１ａは、背面板１１の一部が奥側に曲げられて形成されており、互いに対向している。
【００１９】
そして、この軸保持部１１ａの下方には、フック１０のラック側端部１０ｂを突出させる孔１１ｂが開口されている。この孔１１ｂの近傍にバネ１２の一端が取り付けられると共に、このバネ１２の他端がラック側端部１０ｂに取り付けられている。このため、ラック９が上述した正規位置にない場合は、図４に示されるように、バネ１２が縮んで背面板１１からラック側端部１０ｂの先端が突出された状態となる。
【００２０】
一方、軸保持部１１ａの上方の傾斜面には、フック１０の蓋側端部１０ｃを突出させる孔１１ｃが開口されている。ラック９が上述した正規位置にない場合は、図４に示されるように、上述したバネ１２によって蓋側端部１０ｃはハウジング３寄りの位置に配置されることとなる。そして、このとき、開閉扉４が全開状態であると、開閉扉４の背面側の端部に形成された孔４ａに蓋側端部１０ｃが挿入され、開閉扉４が閉じてしまうのを抑止する。
【００２１】
上述したように、開閉扉４の背面側の端部には孔４ａが形成されているが、この孔４ａは開閉扉４の背面側の端縁に形成されたビードの両端部に形成されている。そして、このビードは傾斜面を持って形成されている。このため、フック１０が図４の状態であるが開閉扉４が全開状態となっていない場合であっても、後から開閉扉４が全開とされれば、フック１０の蓋側端部１０ｃは、上述した傾斜面によって一旦図中左方に押された後に孔４ａと係止し、開閉扉４の閉動作を抑止する。
【００２２】
そして、図４の状態から、ラックレール８上の正規位置にラック９が収納されると、図５の状態となる。図５に示されるように、ラックレール８上の正規位置にラック９が収納されると、ラック９の背面側側壁部によってフック１０のラック側端部１０ｂが背面側に押されることとなる。このとき、バネ１２は伸びるがその弾性復元力ではラック９を押し戻すほど強くないので、図５の状態で静止する。フック１０のラック側端部が押されることでフック１０全体は回動軸１０ａを中心にして回動し（図５中では反時計回り）、蓋側端部１０ｃは洗浄機１の正面側に移動され、蓋側端部１０ｃと開閉扉４の孔４ａとの係止が外れ、開閉扉４は閉じることが可能な状態となる。
【００２３】
このように、ラック９が正規位置に収納されていないとフック１０による開閉扉４の係止状態が解除されないようにすることで、ラック９やこれに収納された食器と開閉扉４との干渉を確実に防止することができ、食器などの破損を防止することができる。特に、本実施形態の場合は、回動する開閉扉４を係止するフック１０をラック９によって直接、係止状態・係止解除状態とすることで、構造が簡単で、コスト上昇を抑制し、かつ、耐久性・信頼性に優れた機構を構築している。なお、本発明は上述した実施形態に限定されるものではない。例えば、請求項１に関して言えば、蓋体が回動するタイプのものでなくても良い。
【図面の簡単な説明】
【００２４】
【図１】本発明の食器洗浄機の一実施形態を示す正面図である。
【図２】本発明の食器洗浄機の一実施形態を示す右側面図である。
【図３】本発明の食器洗浄機の一実施形態の要部斜視図である。
【図４】本発明の食器洗浄機の一実施形態におけるフック周辺拡大断面図（蓋体［開閉扉］が係止された状態）である。
【図５】本発明の食器洗浄機の一実施形態におけるフック周辺拡大断面図（蓋体［開閉扉］の係止が解除された状態）である。
【図６】従来の食器洗浄機を示す断面図である。
【符号の説明】
【００２５】
１…食器洗浄機、２…本体、３…ハウジング、４…開閉扉（蓋体）、４ａ…孔、５…窓、６…ハンドル、７…洗浄漕、８…ラックレール、９…食器収納ラック、１０…フック（保持部材 兼 解除部材）、１０ａ…回動軸、１０ｂ…ラック側部、１０ｃ…蓋側端部、１１…背面板、１１ａ…軸保持部、１１ｂ…孔、１１ｃ…孔、１２…バネ。
【図１】
2005034450.tif 000003
【図２】
2005034450.tif 000004
【図３】
2005034450.tif 000005
【図４】
2005034450.tif 000006
【図５】
2005034450.tif 000007
【図６】
2005034450.tif 000008